(57)【特許請求の範囲】
【請求項１】
２部材の端面間の隙間を封止するゴム状弾性体製のガスケットであって、
２部材のうちの一方の部材には、複数の孔と、これら複数の孔をまとめて取り囲む壁部とが設けられており、
前記一方の部材の端面のうち、前記複数の孔の周囲にそれぞれ密着する複数の環状部と、隣り合う環状部同士をそれぞれ繋ぐ少なくとも一つの繋ぎ部と、を一体に有するガスケットにおいて、
全ての前記環状部及び前記繋ぎ部は、前記壁部の内壁面に対して接しない寸法に設定されると共に、
前記複数の環状部のうち少なくとも２つの環状部には、これらの環状部の外壁面から部分的に突出し、前記壁部の内壁面に密着する脱落防止用突起が少なくとも一つずつ設けられており、前記一方の部材に対しては、該一方の部材の前記端面と前記壁部の内壁面に対してのみ密着するように構成されていることを特徴とするガスケット。
【請求項２】
第１環状部と、
第１環状部と隣り合うように設けられる第２環状部と、
第２環状部と隣り合うように設けられる第３環状部と、
を備え、
第１環状部と第２環状部とが隣り合う方向と、第２環状部と第３環状部とが隣り合う方向が交差しており、
第１環状部の外壁面と第２環状部の外壁面のうち互いの距離が最も長くなる部位にそれぞれ前記脱落防止用突起が設けられ、かつ第２環状部の外壁面と第３環状部の外壁面のうち互いの距離が最も長くなる部位にそれぞれ前記脱落防止用突起が設けられていることを特徴とする請求項１に記載のガスケット。
【請求項３】
第１部材と、
第１部材に固定される第２部材と、
第１部材と第２部材の端面間の隙間を封止するゴム状弾性体製のガスケットと、
を備え、
第１部材には、複数の孔と、これら複数の孔をまとめて取り囲む壁部とが設けられてお
り、
前記ガスケットは、第１部材の端面のうち、前記複数の孔の周囲にそれぞれ密着する複数の環状部と、隣り合う環状部同士をそれぞれ繋ぐ少なくとも一つの繋ぎ部と、を一体に有する密封構造であって、
全ての前記環状部及び前記繋ぎ部は、前記壁部の内壁面に対して接しない寸法に設定されると共に、
前記複数の環状部のうち少なくとも２つの環状部には、これらの環状部の外壁面から部分的に突出し、前記壁部の内壁面に密着する脱落防止用突起が少なくとも一つずつ設けられており、前記ガスケットは、第１部材に対しては、第１部材の前記端面と前記壁部の内壁面に対してのみ密着するように構成されていることを特徴とする密封構造。
【請求項４】
前記ガスケットは、
第１環状部と、
第１環状部と隣り合うように設けられる第２環状部と、
第２環状部と隣り合うように設けられる第３環状部と、
を備え、
第１環状部と第２環状部とが隣り合う方向と、第２環状部と第３環状部とが隣り合う方向が交差しており、
第１環状部の外壁面と第２環状部の外壁面のうち互いの距離が最も長くなる部位にそれぞれ前記脱落防止用突起が設けられ、かつ第２環状部の外壁面と第３環状部の外壁面のうち互いの距離が最も長くなる部位にそれぞれ前記脱落防止用突起が設けられていることを特徴とする請求項３に記載の密封構造。
【発明の詳細な説明】
【技術分野】
【０００１】
本発明は、２部材の端面間の隙間を封止するガスケット及び密封構造に関する。
【背景技術】
【０００２】
２部材の端面間の隙間をゴム状弾性体製のガスケットにより封止する場合、２部材のうちの一方部材に、ガスケットを装着するための溝を設ける構成を採用するのが一般的である。この場合、ガスケット本体部の幅を、装着用の溝の幅よりも狭くすると共に、ガスケット本体部の両側面に、溝の両側面に密着する脱落防止用突起を複数個所に設ける構成を採用するのが一般的である。このように構成されたガスケットによれば、ガスケットを溝に装着する際の作業性に優れ、かつガスケットが溝から脱落してしまうことを抑制することが可能となる。
【０００３】
しかしながら、シール対象が隣接する場合など、２部材のうちの一方の部材にガスケットを装着するための溝を形成することができない場合がある。そのような従来例に係るガスケット及び密封構造について、図１０及び図１１を参照して説明する。図１０は従来例に係るガスケットの平面図である。図１１は従来例に係るガスケットが装着される第１部材の平面図である。
【０００４】
上記の通り、ガスケット５００は、２部材の端面間の隙間を封止するために用いられる。図１１は、２部材のうち、ガスケット５００が装着される側の第１部材６００を平面図にて示している。この第１部材６００には、複数の孔６１１Ｘ，６１１Ｙ，６１１Ｚと、これら複数の孔６１１Ｘ，６１１Ｙ，６１１Ｚをまとめて取り囲む壁部６２０とが設けられている。また、ガスケット５００は、第１部材６００の端面６１０のうち、複数の孔６１１Ｘ，６１１Ｙ，６１１Ｚの周囲にそれぞれ密着する複数の環状部（第１環状部５１０Ｘ，第２環状部５１０Ｙ，第３環状部５１０Ｚ）と、隣り合う環状部同士をそれぞれ繋ぐ繋ぎ部（第１繋ぎ部５１０ＸＹ，第２繋ぎ部５１０ＹＺ）と、を一体に有している。
【０００５】
ここで、第１部材６００に設けられる上記の壁部６２０は、第１環状部５１０Ｘに対応する部分（第１壁部６２０Ｘ）と、第２環状部５１０Ｙに対応する部分（第２壁部６２０Ｙ）と、第３環状部５１０Ｚに対応する部分（第３壁部６２０Ｚ）と、第１繋ぎ部５１０ＸＹに対応する部分（第１繋ぎ壁部６２０ＸＹ）と、第２繋ぎ部５１０ＹＺに対応する部分（第２繋ぎ壁部６２０ＹＺ）とから構成される。
【０００６】
そして、この従来例に係るガスケット５００においては、ガスケット５００が第１部材６００から脱落してしまわないように、ガスケット５００の外壁面全体が、第１部材６００に設けられる壁部６２０の内壁面に沿って密着するように構成されている。従って、例えば、ガスケット５００における図１０に示す幅Ｓ３と、第１部材６００における図１１に示す幅Ｓ０との関係は、Ｓ３≧Ｓ０を満たす。また、ガスケット５００における図１０に示す幅Ｔ３と、第１部材６００における図１１に示す幅Ｔ０との関係は、Ｔ３≧Ｔ０を満たす。以上の構成により、ガスケット５００の外壁面全体が、第１部材６００に設けられる壁部６２０の内壁面に沿って密着し、ガスケット５００が第１部材６００から脱落してしまうことを抑制可能としている。
【０００７】
しかしながら、上記従来例においては、ガスケット５００の外形が、第１部材６００における壁部６２０の内壁面の外形よりも大きい。そのため、ガスケット５００を装着する際に、ガスケット５００が撓み、その一部が第１部材６００の端面６１０から浮き上がろうとしてしまい、装着し難い問題がある。
【先行技術文献】
【特許文献】
【０００８】
【特許文献１】特許第４２１５０８３号公報
【発明の概要】
【発明が解決しようとする課題】
【０００９】
本発明の目的は、脱落を抑制しつつ、装着作業性に優れたガスケット及び密封構造を提供することにある。
【課題を解決するための手段】
【００１０】
本発明は、上記課題を解決するために以下の手段を採用した。
【００１１】
すなわち、本発明のガスケットは、
２部材の端面間の隙間を封止するゴム状弾性体製のガスケットであって、
２部材のうちの一方の部材には、複数の孔と、これら複数の孔をまとめて取り囲む壁部とが設けられており、
前記一方の部材の端面のうち、前記複数の孔の周囲にそれぞれ密着する複数の環状部と、隣り合う環状部同士をそれぞれ繋ぐ少なくとも一つの繋ぎ部と、を一体に有するガスケットにおいて、
全ての前記環状部及び前記繋ぎ部は、前記壁部の内壁面に対して接しない寸法に設定されると共に、
前記複数の環状部のうち少なくとも２つの環状部には、これらの環状部の外壁面から部分的に突出し、前記壁部の内壁面に密着する脱落防止用突起が少なくとも一つずつ設けられており、前記一方の部材に対しては、該一方の部材の前記端面と前記壁部の内壁面に対してのみ密着するように構成されていることを特徴とする。
【００１２】
本発明によれば、ガスケットにおける全ての環状部及び繋ぎ部は、２部材のうちの一方の部材に設けられた壁部の内壁面に対して接しない寸法に設定されている。従って、この一方の部材へのガスケットの装着作業性に優れている。また、複数の環状部のうち少なくとも２つの環状部には、これらの環状部の外壁面から部分的に突出し、前記壁部の内壁面に密着する脱落防止用突起が少なくとも一つずつ設けられている。従って、ガスケット全体（外周側の側面全体）に締め代を設けなくても、ガスケットが一方の部材から脱落してしまうことを抑制することができる。
【００１３】
第１環状部と、
第１環状部と隣り合うように設けられる第２環状部と、
第２環状部と隣り合うように設けられる第３環状部と、
を備え、
第１環状部と第２環状部とが隣り合う方向と、第２環状部と第３環状部とが隣り合う方向が交差しており、
第１環状部の外壁面と第２環状部の外壁面のうち互いの距離が最も長くなる部位にそれぞれ前記脱落防止用突起が設けられ、かつ第２環状部の外壁面と第３環状部の外壁面のうち互いの距離が最も長くなる部位にそれぞれ前記脱落防止用突起が設けられているとよい。
【００１４】
これにより、脱落防止用突起の数が少なくても、ガスケットが一方の部材から脱落してしまうことを抑制することができる。
【００１５】
また、本発明の密封構造は、
第１部材と、
第１部材に固定される第２部材と、
第１部材と第２部材の端面間の隙間を封止するゴム状弾性体製のガスケットと、
を備え、
第１部材には、複数の孔と、これら複数の孔をまとめて取り囲む壁部とが設けられており、
前記ガスケットは、第１部材の端面のうち、前記複数の孔の周囲にそれぞれ密着する複数の環状部と、隣り合う環状部同士をそれぞれ繋ぐ少なくとも一つの繋ぎ部と、を一体に有する密封構造であって、
全ての前記環状部及び前記繋ぎ部は、前記壁部の内壁面に対して接しない寸法に設定されると共に、
前記複数の環状部のうち少なくとも２つの環状部には、これらの環状部の外壁面から部分的に突出し、前記壁部の内壁面に密着する脱落防止用突起が少なくとも一つずつ設けられており、前記ガスケットは、第１部材に対しては、第１部材の前記端面と前記壁部の内壁面に対してのみ密着するように構成されていることを特徴とする。
【００１６】
本発明によれば、ガスケットにおける全ての環状部及び繋ぎ部は、第１部材に設けられた壁部の内壁面に対して接しない寸法に設定されている。従って、第１部材へのガスケットの装着作業性に優れている。また、複数の環状部のうち少なくとも２つの環状部には、これらの環状部の外壁面から部分的に突出し、前記壁部の内壁面に密着する脱落防止用突起が少なくとも一つずつ設けられている。従って、ガスケット全体（外周側の側面全体）に締め代を設けなくても、ガスケットが第１部材から脱落してしまうことを抑制することができる。
【００１７】
前記ガスケットは、
第１環状部と、
第１環状部と隣り合うように設けられる第２環状部と、
第２環状部と隣り合うように設けられる第３環状部と、
を備え、
第１環状部と第２環状部とが隣り合う方向と、第２環状部と第３環状部とが隣り合う方向が交差しており、
第１環状部の外壁面と第２環状部の外壁面のうち互いの距離が最も長くなる部位にそれぞれ前記脱落防止用突起が設けられ、かつ第２環状部の外壁面と第３環状部の外壁面のうち互いの距離が最も長くなる部位にそれぞれ前記脱落防止用突起が設けられているとよい。
【００１８】
これにより、脱落防止用突起の数が少なくても、ガスケットが第１部材から脱落してしまうことを抑制することができる。
【発明の効果】
【００１９】
以上説明したように、本発明によれば、ガスケットの脱落を抑制しつつ、ガスケットの装着作業性を向上させることができる。
【図面の簡単な説明】
【００２０】
【図１】図１は本発明の実施例１に係るガスケットの平面図である。
【図２】図２は本発明の実施例１に係るガスケットが装着される第１部材の平面図である。
【図３】図３は本発明の実施例１に係るガスケットが第１部材に装着された状態を示す平面図である。
【図４】図４は本発明の実施例１に係るガスケットの模式的断面図である。
【図５】図５は本発明の実施例１に係るガスケットが装着される第１部材の模式的断面図である。
【図６】図６は本発明の実施例１に係るガスケットが第１部材に装着された状態を示す模式的断面図である。
【図７】図７は本発明の実施例１に係る密封構造の模式的断面図である。
【図８】図８は本発明の実施例２に係るガスケットの平面図である。
【図９】図９は本発明の実施例２に係るガスケットが装着される第１部材の平面図である。
【図１０】図１０は従来例に係るガスケットの平面図である。
【図１１】図１１は従来例に係るガスケットが装着される第１部材の平面図である。
【発明を実施するための形態】
【００２１】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２２】
（実施例１）
図１〜図７を参照して、本発明の実施例１に係るガスケット及び密封構造について説明する。本実施例に係るガスケット１００は、互いに固定される２部材の端面間の隙間を封止するために用いられる。以下、便宜上、２部材のうちの一方の部材を第１部材２００と称し、他方の部材を第２部材３００と称する。
【００２３】
＜ガスケット及び第１部材＞
特に、図１，図２，図４及び図５を参照して、本実施例に係るゴム状弾性体製のガスケット１００及びガスケット１００が装着される第１部材２００の構成について説明する。図１は本発明の実施例１に係るガスケットの平面図である。図４は本発明の実施例１に係るガスケットの模式的断面図であり、図１中のＡＡ断面図である。また、図２は本発明の実施例１に係るガスケットが装着される第１部材の平面図である。図５は本発明の実施例１に係るガスケットが装着される第１部材の模式的断面図であり、図２中のＢＢ断面図である。
【００２４】
上記の通り、ガスケット１００は、２部材（第１部材２００と第２部材３００）の端面間の隙間を封止するために用いられる。図２は、２部材のうち、ガスケット１００が装着される側の第１部材２００を平面図にて示している。この第１部材２００には、複数の孔２１１Ｘ，２１１Ｙ，２１１Ｚと、これら複数の孔２１１Ｘ，２１１Ｙ，２１１Ｚをまとめて取り囲む壁部２２０とが設けられている。また、ガスケット１００は、第１部材２００の端面２１０のうち、複数の孔２１１Ｘ，２１１Ｙ，２１１Ｚの周囲にそれぞれ密着する複数の環状部（第１環状部１１０Ｘ，第２環状部１１０Ｙ，第３環状部１１０Ｚ）と、隣り合う環状部同士をそれぞれ繋ぐ繋ぎ部（第１繋ぎ部１１０ＸＹ，第２繋ぎ部１１０ＹＺ）と、を一体に有している。
【００２５】
ここで、第１部材２００に設けられる上記の壁部２２０は、第１環状部１１０Ｘに対応する部分（第１壁部２２０Ｘ）と、第２環状部１１０Ｙに対応する部分（第２壁部２２０Ｙ）と、第３環状部１１０Ｚに対応する部分（第３壁部２２０Ｚ）と、第１繋ぎ部１１０ＸＹに対応する部分（第１繋ぎ壁部２２０ＸＹ）と、第２繋ぎ部１１０ＹＺに対応する部分（第２繋ぎ壁部２２０ＹＺ）とから構成される。
【００２６】
また、第１環状部１１０Ｘ，第２環状部１１０Ｙ，第３環状部１１０Ｚには、これらの環状部の外壁面から部分的に突出する脱落防止用突起１２０がそれぞれ設けられている。なお、第１環状部１１０Ｘに設けられた脱落防止用突起１２０は、第１壁部２２０Ｘの内壁面２２１に対して密着し、第２環状部１１０Ｙに設けられた脱落防止用突起１２０は、
第２壁部２２０Ｙの内壁面２２１に対して密着し、第３環状部１１０Ｚに設けられた脱落防止用突起１２０は、第３壁部２２０Ｚの内壁面２２１に対して密着するように構成されている。
【００２７】
＜ガスケットと第１部材に設けられた壁部との寸法関係＞
特に、図１及び図２を参照して、ガスケット１００と第１部材２００に設けられた壁部２２０との寸法関係について説明する。本実施例に係るガスケット１００においては、第１環状部１１０Ｘ，第２環状部１１０Ｙ，第３環状部１１０Ｚ，第１繋ぎ部１１０ＸＹ及び第２繋ぎ部１１０ＹＺは、第１部材２００の壁部２２０の内壁面２２１に対して接しない寸法に設定されている。そして、複数の脱落防止用突起１２０のみが、第１部材２００の壁部２２０の内壁面２２１に対して密着するように構成されている。この点について、より具体的に説明する。
【００２８】
本実施例に係るガスケット１００においては、第１環状部１１０Ｘと第２環状部１１０Ｙと第３環状部１１０Ｚが直線的に並ぶように構成されており、第１環状部１１０Ｘと第３環状部１１０Ｚが最も離れるように配置されている。そして、第１環状部１１０Ｘの外壁面と第３環状部１１０Ｚの外壁面のうち互いの距離が最も長くなる部位にそれぞれ脱落防止用突起１２０が設けられている。ここで、第１環状部１１０Ｘの外壁面と第３環状部１１０Ｚの外壁面のうち互いの距離が最も長い部分の幅をＳ１とする。そして、第１環状部１１０Ｘの外壁面と第３環状部１１０Ｚの外壁面のうち互いの距離が最も長くなる部位にそれぞれ設けられた脱落防止用突起１２０の先端間の幅をＳ２とする。
【００２９】
そして、本実施例に係るガスケット１００においては、第１環状部１１０Ｘと、第２環状部１１０Ｙと、第３環状部１１０Ｚのそれぞれに、上記幅Ｓ１の幅方向に対して垂直な方向で、各環状部の外壁面のうち互いの距離が最も長くなる部位にそれぞれ脱落防止用突起１２０が設けられている。ここで、上記幅Ｓ１の幅方向に対して垂直な方向で、各環状部の外壁面のうち互いの距離が最も長い部分の幅をＴ１とする。そして、各環状部の外壁面のうち互いの距離が最も長くなる部位にそれぞれ設けられた脱落防止用突起１２０の先端間の幅をＴ２とする。
【００３０】
また、本実施例に係る第１部材２００に設けられた壁部２２０において、壁部２２０の内壁面２２１のうち互いの距離が最も長くなる部分の幅をＳ０とする。そして、この幅Ｓ０の幅方向に対して垂直な方向で、第１壁部２２０Ｘ，第２壁部２２０Ｙ、及び第３壁部２２０Ｚの内壁面２２１のうち互いの距離が最も長い部分の幅をＴ０とする。
【００３１】
以上のように各部分の幅を定義した場合に、ガスケット１００と第１部材２００における壁部２２０は、公差を考慮した上で、Ｓ２≧Ｓ０＞Ｓ１及びＴ２≧Ｔ０＞Ｔ１を満たすように設計されている。これにより、ガスケット１００のうち複数の脱落防止用突起１２０のみが、第１部材２００の壁部２２０の内壁面２２１に対して密着する。
【００３２】
＜密封構造＞
特に、図３，図６及び図７を参照して、本実施例に係る密封構造について説明する。図３は本発明の実施例１に係るガスケットが第１部材に装着された状態を示す平面図である。図６は本発明の実施例１に係るガスケットが第１部材に装着された状態を示す模式的断面図であり、図３中のＣＣ断面図である。図７は本発明の実施例１に係る密封構造の模式的断面図である。なお、図７中のガスケット及び第１部材は、図３中のＣＣ断面図に相当する。
【００３３】
本実施例に係る密封構造は、ガスケット１００が第１部材２００に装着された後に、第２部材３００が第１部材２００に固定されることにより得られる。ガスケット１００が第
１部材２００に装着された状態においては、上記の通り、ガスケット１００のうち複数の脱落防止用突起１２０のみが、第１部材２００の壁部２２０の内壁面２２１に対して密着する（図３及び図６参照）。従って、第１環状部１１０Ｘと第１壁部２２０Ｘとの間、第２環状部１１０Ｙと第２壁部２２０Ｙとの間、第３環状部１１０Ｚと第３壁部２２０Ｚとの間、第１繋ぎ部１１０ＸＹと第１繋ぎ壁部２２０ＸＹとの間、第２繋ぎ部１１０ＹＺと第２繋ぎ壁部２２０ＹＺとの間には、それぞれ隙間が形成される（図３参照）。
【００３４】
そして、第２部材３００が第１部材２００に固定されることにより、ガスケット１００は、第１部材２００の端面２１０と、第２部材３００の端面３２０にそれぞれ密着する。これにより、ガスケット１００によって、第１部材２００の端面２１０と、第２部材３００の端面との間の隙間が封止される。なお、第２部材３００にも、第１部材２００に設けられた複数の孔２１１Ｘ，２１１Ｙ，２１１Ｚに対応してそれぞれ孔３１０が設けられている。本実施例に係るガスケット１００によって、例えば、第１部材２００に設けられた孔と第２部材３００に設けられた孔との間を通る流体が外部に漏れてしまうことを抑制することが可能となる。
【００３５】
＜本実施例に係るガスケット及び密封構造の優れた点＞
本実施例に係るガスケット１００及び密封構造によれば、ガスケット１００における全ての環状部及び繋ぎ部は、第１部材２００に設けられた壁部２２０の内壁面２２１に対して接しない寸法に設定されている。従って、第１部材２００へのガスケット１００の装着作業性に優れている。また、各環状部には、これらの環状部の外壁面から部分的に突出し、壁部２２０の内壁面２２１に密着する脱落防止用突起１２０が少なくとも一つずつ設けられている。従って、ガスケット１００が第１部材２００から脱落してしまうことを抑制することができる。
【００３６】
（実施例２）
図８及び図９には、本発明の実施例２が示されている。本実施例においては、ガスケットを構成する環状部と繋ぎ部の配置構成が実施例１とは異なる場合の構成を示す。図８は本発明の実施例２に係るガスケットの平面図である。図９は本発明の実施例２に係るガスケットが装着される第１部材の平面図である。
【００３７】
＜ガスケット及び第１部材＞
本実施例においても、上記実施例１の場合と同様に、ガスケット１００ａは、２部材（第１部材２００ａと第２部材（不図示））の端面間の隙間を封止するために用いられる。図９は、２部材のうち、ガスケット１００ａが装着される側の第１部材２００ａを平面図にて示している。この第１部材２００ａには、複数の孔２１１Ｘａ，２１１Ｙａ，２１１Ｚａと、これら複数の孔２１１Ｘａ，２１１Ｙａ，２１１Ｚａをまとめて取り囲む壁部２２０ａとが設けられている。また、ガスケット１００ａは、第１部材２００ａの端面２１０ａのうち、複数の孔２１１Ｘａ，２１１Ｙａ，２１１Ｚａの周囲にそれぞれ密着する複数の環状部（第１環状部１１０Ｘａ，第２環状部１１０Ｙａ，第３環状部１１０Ｚａ）と、隣り合う環状部同士をそれぞれ繋ぐ繋ぎ部（第１繋ぎ部１１０ＸＹａ，第２繋ぎ部１１０ＹＺａ）と、を一体に有している。
【００３８】
ここで、第１部材２００ａに設けられる上記の壁部２２０ａは、第１環状部１１０Ｘａに対応する部分（第１壁部２２０Ｘａ）と、第２環状部１１０Ｙａに対応する部分（第２壁部２２０Ｙａ）と、第３環状部１１０Ｚａに対応する部分（第３壁部２２０Ｚａ）と、第１繋ぎ部１１０ＸＹａに対応する部分（第１繋ぎ壁部２２０ＸＹａ）と、第２繋ぎ部１１０ＹＺａに対応する部分（第２繋ぎ壁部２２０ＹＺａ）とから構成される。
【００３９】
また、第１環状部１１０Ｘａ，第２環状部１１０Ｙａ，第３環状部１１０Ｚａには、こ
れらの環状部の外壁面から部分的に突出する脱落防止用突起１２０ａがそれぞれ設けられている。なお、第１環状部１１０Ｘａに設けられた脱落防止用突起１２０ａは、第１壁部２２０Ｘａの内壁面２２１ａに対して密着し、第２環状部１１０Ｙａに設けられた脱落防止用突起１２０ａは、第２壁部２２０Ｙａの内壁面２２１ａに対して密着し、第３環状部１１０Ｚａに設けられた脱落防止用突起１２０ａは、第３壁部２２０Ｚａの内壁面２２１ａに対して密着するように構成されている。
【００４０】
＜ガスケットと第１部材に設けられた壁部との寸法関係＞
本実施例に係るガスケット１００ａにおいても、第１環状部１１０Ｘａ，第２環状部１１０Ｙａ，第３環状部１１０Ｚａ，第１繋ぎ部１１０ＸＹａ及び第２繋ぎ部１１０ＹＺａは、第１部材２００ａの壁部２２０ａの内壁面２２１ａに対して接しない寸法に設定されている。そして、複数の脱落防止用突起１２０ａのみが、第１部材２００ａの壁部２２０ａの内壁面２２１ａに対して密着するように構成されている。この点について、より具体的に説明する。
【００４１】
本実施例に係るガスケット１００においては、第１環状部１１０Ｘａと第２環状部１１０Ｙａとが隣り合う方向と、第２環状部１１０Ｙａと第３環状部１１０Ｚａとが隣り合う方向が交差している。より具体的には、これらの方向が垂直となるように構成されている。そして、第１環状部１１０Ｘａの外壁面と第２環状部１１０Ｙａの外壁面のうち互いの距離が最も長くなる部位にそれぞれ脱落防止用突起１２０ａが設けられている。また、第２環状部１１０Ｙａの外壁面と第３環状部１１０Ｚａの外壁面のうち互いの距離が最も長くなる部位にもそれぞれ脱落防止用突起１２０ａが設けられている。このように、本実施例においては、合計４か所に、脱落防止用突起１２０ａが設けられている。
【００４２】
ここで、第１環状部１１０Ｘａの外壁面と第２環状部１１０Ｙａの外壁面のうち互いの距離が最も長い部分の幅をＳ１とする。そして、第１環状部１１０Ｘａの外壁面と第２環状部１１０Ｙａの外壁面のうち互いの距離が最も長くなる部位にそれぞれ設けられた脱落防止用突起１２０ａの先端間の幅をＳ２とする。また、第２環状部１１０Ｙａの外壁面と第３環状部１１０Ｚａの外壁面のうち互いの距離が最も長い部分の幅をＴ１とする。そして、第２環状部１１０Ｙａの外壁面と第３環状部１１０Ｚａの外壁面のうち互いの距離が最も長くなる部位にそれぞれ設けられた脱落防止用突起１２０ａの先端間の幅をＴ２とする。
【００４３】
また、本実施例に係る第１部材２００ａに設けられた壁部２２０において、第１壁部２２０Ｘａと第２壁部２２０Ｙａの内壁面２２１ａのうち互いの距離が最も長くなる部分の幅をＳ０とする。そして、第２壁部２２０Ｙａと第３壁部２２０Ｚａの内壁面２２１ａのうち互いの距離が最も長くなる部分の幅をＴ０とする。
【００４４】
以上のように各部分の幅を定義した場合に、ガスケット１００ａと第１部材２００ａにおける壁部２２０ａは、公差を考慮した上で、Ｓ２≧Ｓ０＞Ｓ１及びＴ２≧Ｔ０＞Ｔ１を満たすように設計されている。これにより、ガスケット１００ａのうち複数の脱落防止用突起１２０ａのみが、第１部材２００ａの壁部２２０ａの内壁面２２１ａに対して密着する。
【００４５】
密封構造に関しては、上記実施例１の場合と同様であるので、その説明は省略する。以上のように構成された本実施例に係るガスケット１００ａ及び密封構造においても、上記実施例１の場合と同様の効果を得ることができる。なお、本実施例に係るガスケット１００ａの場合に、合計４か所に設けられた脱落防止用突起１２０ａによって、ガスケット１００ａが第１部材２００ａから脱落してしまうことを抑制することができる。このように、脱落防止用突起１２０ａの数が少なくても、ガスケット１００ａが第１部材２００ａか
ら脱落してしまうことを抑制することができる。
【００４６】
（その他）
上記実施例においては、ガスケットが、３つの環状部を備える場合の構成について示したが、本発明は複数の環状部を備える各種ガスケットに適用可能である。なお、環状部が２つの場合には、環状部同士を繋ぐ繋ぎ部は一つのみとなる。また、本発明に係るガスケットを構成する複数の環状部の配置構成についても、実施例１，２で示した配置構成に限られることはない。この場合において、ガスケットに設けられる脱落防止用突起の配置位置も、環状部の配置構成に応じて適宜設定される。また、上記実施例１，２では、全ての環状部に対して、少なくとも一つずつ脱落防止用突起が設けられる場合の構成を示したが、複数の環状部の配置構成によっては、脱落防止用突起が設けられない環状部が存在していてもよい。ただし、ガスケットの脱落を抑制するために、少なくとも２つの環状部に、脱落防止用突起が少なくとも一つずつ設けられる必要がある。
【符号の説明】
【００４７】
１００，１００ａ  ガスケット
１１０Ｘ，１１０Ｘａ  第１環状部
１１０Ｙ，１１０Ｙａ  第２環状部
１１０Ｚ，１１０Ｚａ  第３環状部
１１０ＸＹ，１１０ＸＹａ  第１繋ぎ部
１１０ＹＺ，１１０ＹＺａ  第２繋ぎ部
１２０，１２０ａ  脱落防止用突起
２００，２００ａ  第１部材
２１０，２１０ａ  端面
２１１Ｘ，２１１Ｙ，２１１Ｚ，２１１Ｘａ，２１１Ｙａ，２１１Ｚａ  孔
２２０，２２０ａ  壁部
２２０Ｘ，２２０Ｘａ  第１壁部
２２０ＸＹ，２２０ＸＹａ  第１繋ぎ壁部
２２０Ｙ，２２０Ｙａ  第２壁部
２２０ＹＺ，２２０ＹＺａ  第２繋ぎ壁部
２２０Ｚ，２２０Ｚａ  第３壁部
２２１，２２１ａ  内壁面
３００  第２部材
３１０  孔
３２０  端面
【図１】
0006550880.tif 000002
【図２】
0006550880.tif 000003
【図３】
0006550880.tif 000004
【図４】
0006550880.tif 000005
【図５】
0006550880.tif 000006
【図６】
0006550880.tif 000007
【図７】
0006550880.tif 000008
【図８】
0006550880.tif 000009
【図９】
0006550880.tif 000010
【図１０】
0006550880.tif 000011
【図１１】
0006550880.tif 000012